(57)【特許請求の範囲】
【請求項１】
電線とこの電線を支持する支持構造物との間に介在される複数碍子を直列接続してなる碍子連に取り付けられる複数連碍子用保護カバーであって、
前記複数の碍子の接続方向に沿った分割面を有する２分割された一対のカバー部材を備え、
それぞれのカバー部材は、絶縁素材で形成され、前記複数の碍子のそれぞれの碍子本体を密着させて変位不能に収容する複数の碍子本体収容部と、隣り合う前記碍子本体部間に設けられ、前記碍子本体収容部よりも外形を小さく形成して隣り合う前記碍子の連結部分を収容する連結部収容部と、が一体に形成され、前記連結部収容部には、該連結部収容部の変形を防止する補強手段が設けられており、
前記一対のカバー部材は、前記分割面の長手方向に沿った縁部の一方がヒンジ部を介して開閉可能に連結され、前記分割面の長手方向に沿った縁部の他方が係合手段により着脱可能に係合される
ことを特徴とする複数連碍子用保護カバー。
【請求項２】
前記連結部収容部は、間接活線把持工具で把持可能な被把持部に形成されていることを特徴とする請求項１記載の複数連碍子用保護カバー。
【請求項３】
前記ヒンジ部及び前記係合手段は、それぞれの碍子本体収容部に設けられ、前記係合手段は、一方のカバー部材に設けられた係合突起と、他方のカバー部材に設けられて前記係合突起が係合する係合孔とにより構成されていることを特徴とする請求項１又は２記載の複数連碍子用保護カバー。
【発明の詳細な説明】
【技術分野】
【０００１】
本発明は、支持構造物と電線との間に介在される耐張碍子等のように、直列に連結された複数連の碍子に着脱可能に取り付けられる保護カバーに関する。
【背景技術】
【０００２】
電柱などの支持構造物に電線を引留めるためには、たとえば、図７及び図８に示すような碍子装置１１０が用いられる。この碍子装置１１０は、ストラップ１２０と、磁器製の耐張碍子１００と、引留クランプ１３０とを備えているもので、ストラップ１２０は、その一方の端部が、電柱１４０などの支持構造物に設けられる腕金１５０に、ピン碍子と共にボルト１２１およびナットを１２２介して連結され、他方の端部が、耐張碍子１００に、コッタピン１０４および割りピン１０７を介して連結されている（特許文献１参照）。
【０００３】
高圧配電線（６．６ＫＶ）においては、絶縁性能を確保するために、通常２個の耐張碍子１００をコッタピン１０４および割りピン１０７を介して直列に連結した２個連として電線１６０と支持構造物（腕金１５０）との間に設けられる。
【０００４】
引留クランプ１３０は、電線１６０の被覆の一部を剥離し、この剥離部位をクランプ本体１３１でクランプするもので、クランプ本体１３１は、耐張碍子１００と連結するための連結部１３２を備え、この連結部１３２に耐張碍子１００の支持杆１０５をコッタピンおよび割りピンを介して連結している。なお、クランプ本体１３１は、その周囲が保護カバー１３３によって被覆されて絶縁処理が施されている。
【先行技術文献】
【特許文献】
【０００５】
【特許文献１】特開２０１２−２５３８７０号公報
【発明の概要】
【発明が解決しようとする課題】
【０００６】
ところで、このような構成において、雷害等で耐張碍子が破損し、取り換えが必要になる場合には、１人で取替え作業を行う場合が多い。しかしながら、耐張碍子の２個連化により、耐張碍子を外す場合はともかく、新たに２個連の耐張碍子を取り付ける場合には、非常に労力と熟練を要するものであった。
【０００７】
すなわち、２個連の耐張碍子を取り換える場合には、まず、図９（ａ）に示されるように、シメラー２００を電線と１６０支持構造物（電柱や腕金１５０）との間に取り付け、このシメラーで電線の張力を緩め、この状態を維持しつつ電線側の碍子を取り外すと共に支持構造物側の碍子を取り外す。その後、新たな２個連の碍子を取り付けるために支持構造物または電線の一方に碍子を取り付けるが、２個連の碍子は、自重により連結部分で屈曲されて全体として、同図に示されるように、逆ヘの字状となるため、他方の碍子を支持構造物または電線の他方に取り付けようとする場合には接続部位の位置合わせが困難となり、シメラーを増し締めして位置合わせをした上で他方の碍子を支持構造物または電線の他方に取り付けるようにしていた。
【０００８】
また、支持構造物に碍子を取り付け、碍子を直接手で持って保持していた状態、又は、碍子を間接活線把持工具を用いて保持していた状態から誤って碍子が脱落した場合には、図９（ｂ）に示されるように、支持構造物に碍子本体が衝突し、破損させる恐れがあった。
さらに、充電時の作業においては、間接活線工具を用いた作業を行なう必要があるが、図９（ｃ）に示されるように、２個連の耐張碍子１００を間接活線工具１７０で保持しながら取り付ける作業は１人では難しく、結局、碍子を１個ずつ取り換えなければならないものであり、作業効率が悪いものであった。
このような不都合は、２個連の碍子を交換する場合だけでなく、３個以上の碍子が直列的に連結された複数連の碍子を交換する場合においても同様に生じ得るものである。
【０００９】
本発明は係る事情に鑑みてなされたものであり、複数連の碍子を取り付ける場合に、電線と支持構造物との間に容易に取り付けることができ、１人でも容易に作業することが可能となり、また、支持構造物に碍子が接触して破損させる恐れがなく、さらには、間接活線作業を行う場合でも容易に作業をすることが可能な複数連碍子用保護カバーを提供することを主たる課題としている。
【課題を解決するための手段】
【００１０】
上記課題を達成するために、本発明に係る複数連碍子用保護カバーは、電線とこの電線を支持する支持構造物との間に介在される複数碍子を直列接続してなる碍子連に取り付けられる複数連碍子用保護カバーであって、前記複数の碍子の接続方向に沿った分割面を有する２分割された一対のカバー部材を備え、それぞれのカバー部材は、絶縁素材で形成され、前記複数の碍子のそれぞれの碍子本体を密着させて変位不能に収容する複数の碍子本体収容部と、隣り合う前記碍子本体収容部間に設けられ、前記碍子本体収容部よりも外形を小さく形成して隣り合う前記碍子の連結部分を収容する連結部収容部と、が一体に形成され、前記連結部収容部には、該連結部収容部の変形を防止する補強手段が設けられており、前記一対のカバー部材は、前記分割面の長手方向に沿った縁部の一方がヒンジ部を介して開閉可能に連結され、前記分割面の長手方向に沿った縁部の他方に閉じた状態を保持する係合手段が設けられていることを特徴としている。
【００１１】
したがって、対をなすカバー部材のそれぞれには、複数の碍子のそれぞれの碍子本体を密着させて変位不能に収容する複数の碍子本体収容部と、隣り合う碍子本体収容部間に設けられて隣り合う碍子の連結部分を収容する連結部収容部とが一体に形成されているので、直列接続された碍子連のそれぞれの碍子の碍子本体を碍子本体収容部に収容し、且つ、連結部分を連結部収容部に収容して、ヒンジ部を中心に分割面を重ね合わせて係合手段により閉じた状態を保持すれば、複数連の碍子は、保護カバーにより動きが規制されて連結部分で屈曲されることなく真っ直ぐに連結した状態で保持される。
【００１２】
したがって、電線と支持構造物との間にシメラーを介在させて電線の張力をとった後に保護カバーが取り付けられた複数連の碍子を取り付ける場合には、複数連の碍子は、連結部分で屈曲されることがなくなるので、シメラーを増し締めしなくても連結部位の位置合わせが容易となり、支持構造物や電線への取り付けを容易に行うことが可能となる。
【００１３】
また、保護カバーが取り付けられた複数連の碍子が手や間接活線把持工具から離れた場合でも、保護カバーにより碍子は保護されているので、碍子が直接支持構造物に衝突する恐れは無く、碍子の損傷を免れることができる。さらに、間接活線作業で複数連の碍子を取り換える場合でも、碍子本体収容部よりも外形が小さい連結部収容部を把持して作業することができるので、複数連の碍子を一体に操作して同時に取り換えることが可能となる。
ここで、前記連結部収容部は、間接活線把持工具で把持可能な被把持部に形成されていることが望ましい。連結部収容部を間接活線把持工具で把持可能な被把持部とすることで、この部分を間接活線把持工具で把持すれば、全体の重量バランスも大きく偏ることがなく、また、安定した把持状態を確保することが可能となる。
【００１４】
なお、前記ヒンジ部及び前記係合手段は、ぞれぞれの碍子本体収容部に設けられ、前記係合手段は、一方のカバー部材に設けられた係合突起と、他方のカバー部材に設けられて前記係合突起が係合する係合孔とにより構成されているようにするとよい。
このような構成とすることで、ぞれぞれの碍子本体収容部にヒンジ部及び係合手段が設けられるので、一対のカバー部材の開閉動作をスムーズに行え、また、係合状態を安定させることができ、耐久性を持たせることが可能となる。
【００１５】
また、本発明は、連結部収容部に、該連結部収容部の変形を防止する補強手段を設けるようにしたので、連結部収容部を補強してこの部分での変形（屈曲）を避けることが可能となる。補強手段としては、連結部収容部の表面にリブを形成するものであっても、カバー部材とは別体の補強部材を連結部収容部に付設するものであってもよい。
【発明の効果】
【００１６】
以上述べたように、本発明に係る複数連碍子用保護カバーによれば、複数の碍子のそれぞれの碍子本体を密着させて変位不能に収容する複数の碍子本体収容部と、隣り合う碍子の連結部分を収容する連結部収容部とが一体に形成された一対のカバー部材をヒンジ部を介して開閉可能に連結し、係合手段により閉じた状態を保持するようにしたので、複数連の碍子を取り付ける場合に、この複数連の碍子を保護カバーに収容した上で取り付け作業を行なうことで、複数連の碍子が連結部分で屈曲することを避けることができるので、シメラーの増し締めをしなくても、複数連の碍子を電線と支持構造物との間に容易に取り付けることができ、１人でも容易に作業することが可能となる。
【００１７】
また、複数連の碍子は保護カバーで被覆されているので、支持構造物に碍子が接触して破損させる恐れがなく、さらには、間接活線作業を行う場合でも碍子の１つ１つを把持する必要がなく、保護カバーが取り付けられた複数連の碍子をまとめて作業することが可能となるので、間接活線作業を行う場合でも、容易に作業をすることが可能となる。
【図面の簡単な説明】
【００１８】
【図１】図１は、本発明に係る複数連碍子用保護カバーを示す図であり、（ａ）はその側面図、（ｂ）は、（ａ）の左側から軸方向に見た図、（ｃ）は、（ａ）の右側から軸方向に見た図、（ｄ）は、その平面図である。
【図２】図２は、図１の複数連碍子用保護カバーを開いて内側が見えるように展開した図である。
【図３】図３は、嵌合部の拡大図であり、（ａ）は、嵌合する前の状態を示す図、（ｂ）は、嵌合した状態を示す図である。
【図４】図４（ａ）は、２個連碍子を示す図であり、図４（ｂ）は、本発明に係る複数連碍子用保護カバーを（ａ）の２個連が碍子に取り付けた状態を示す図である。
【図５】図５（ａ）は、本発明の複数連碍子用保護カバーを取り付けた２個連碍子を電線と支持構造物との間に取り付ける工程を説明する図、図５（ｂ）は、本発明の複数連碍子用保護カバーを取り付けた２個連碍子を電柱にぶつけた状態を示す図、図５（ｃ）は本発明の複数連碍子用保護カバーを取り付けた２個連碍子を間接活線把持工具で把持する状態を示す図である。
【図６】図６（ａ）は、本発明の複数連碍子用保護カバーの連結部収容部にリブを設けた変形例を示す図であり、図６（ｂ）は、本発明の複数連碍子用保護カバーの連結部収容部に補強部材を設けた変形例を示す図である。
【図７】図７は、電柱からなる支持構造体に電線を耐張碍子を介して支持させている状態を示す斜視図である。
【図８】図８は、電線を引留クランプと２個連の耐張碍子を介して支持構造体である電柱の腕金に支持させている状態を示す側面図である。
【図９】図９（ａ）は、従来の2個連碍子を電線と支持構造物との間に取り付ける工程を説明する図、図９（ｂ）は、従来の２個連碍子を電柱にぶつけた状態を示す図、図９（ｃ）は従来の２個連碍子を間接活線把持工具で把持する状態を示す図である。
【発明を実施するための形態】
【００１９】
以下、この発明に係る複数連碍子用保護カバーの実施形態を添付図面を参照しながら説明する。
【００２０】
図１及び図２において、複数連碍子用保護カバー１は、電線とこの電線を支持する支持構造物との間に介在される２つの耐張碍子を直列接続してなる碍子連に取り付けられるもので、ポリエチレン樹脂などの絶縁素材を主体とした原料によって形成され、２つの耐張碍子の接続方向に沿って分割された分割面（２つの耐張碍子の軸心を含む平面）を有する一対のカバー部材２，３を備えている。
【００２１】
それぞれのカバー部材２，３は、それぞれの耐張碍子の碍子本体を収容する複数の碍子本体収容部２１，２２，３１，３２と、隣り合う碍子本体収容部間に設けられ、隣り合う前記碍子の連結部分を収容する連結部収容部２３，３３とが一体に形成されている。
【００２２】
ここで耐張碍子１００は、図４（ａ）に示すように、碍子本体１０１と、この碍子本体１０１の頭部の外周に嵌合固着されたキャップ金具１０２と、碍子本体１０１の内部に嵌合固着された支持杆１０５とを有して構成され、碍子本体１０１は、円柱体状に形成された磁器製の絶縁体によって構成され、キャップ金具１０２と支持杆１０５との間の沿面距離を稼ぐために、外周面が凹凸状に形成されている。  
【００２３】
キャップ金具１０２は、円錐状に形成されて頭部が二股に形成されているもので、この二股部１０２ａには通孔１０３が形成されてコッタピン１０４を係脱自在に貫通可能としている。支持杆１０５は、金属製のもので、碍子本体１０１の底部中央からキャップ金具１０２と反対側へ延設され、この支持杆１０５の先端に円環部１０５ａが一体に形成され、この円環部１０５ａを他の耐張碍子１００のキャップ金具１０２の二股部１０２ａに挿入可能としている。  
【００２４】
このような耐張碍子１００は、支持杆１０５の円環部１０５ａを他方の耐張碍子１００のキャップ金具１０２の二股部１０２ａに挿入し、二股部１０２ａの通孔１０３と円環部１０５ａの通孔１０６とを整合させてこれら通孔１０３，１０６にコッタピン１０４を挿通させ、このコッタピン１０４に割りピン１０７を係合させて連結されている。  
【００２５】
前記碍子本体収容部２１，２２（３１，３２）には、それぞれの耐張碍子１００の少なくとも碍子本体１０１の外表面と密着するように碍子本体１０１の形状に合わせて型取られた碍子本体収容凹部２１ａ，２２ａ（３１ａ，３２ａ）が形成され、この例では、キャップ金具１０２の一部をも覆うように形成されている。
したがって、耐張碍子１００の碍子本体１０１を碍子本体収容凹部２１ａ，２２ａ（３１ａ，３２ａ）に嵌め入れると、耐張碍子は碍子本体収容部に変位不能に収容される。
また、前記連結部収容部２３，３３には、一方の耐張碍子１００のキャップ金具１０２と他方の耐張碍子１００の支持杆１０５との連結部分を余裕をもって収容できるように連結部収容凹部２３ａ（３３ａ）が形成されている。
この連結部収容凹部２３ａ（３３ａ）は、キャップ金具１０２と支持杆１０５との連結部分の形状に合わせて型取られている必要はなく、連結部分と連結部収容凹部の内壁との間に十分な隙間が形成されるものであってもよい。  
【００２６】
連結部収容部２３，３３は、碍子本体収容部２１，２２（３１，３２）よりも外形が小さく形成され、したがって、対をなすカバー部材２，３を互いに最中合わせにした状態（互いの凹部が対向するように分割面を重ね合わせた状態）においては、保護カバー１の中間部が把持しやすいようにくびれた状態となる。なお、この連結部収容部２３，３３は、この部分で屈曲されることがないよう、他の部分よりも厚みを厚くするなどして強固に形成されている。  
【００２７】
そして、それぞれのカバー部材２，３の分割面の長手方向に沿った縁部の一辺、この例では、それぞれの碍子本体収容部２１，２２，３１，３２の一方の側縁は、ヒンジ部４１，４２を介して連結され、このヒンジ部４１，４２を境に互いのカバー部材２，３を開閉させ、互いの凹部（２１ａと３１ａ，２２ａと３２ａ，２３ａと３３ａ）を向かい合わせることができるようになっている。  
【００２８】
また、それぞれのカバー部材２，３の分割面の長手方向に沿った縁部の他の一辺には、カバー部材２，３の閉じた状態を保持する係合手段４３，４４が設けられている。この例において、係合手段は、図３にも示されるように、それぞれカバー部材２，３のヒンジ部４１，４２が設けられた側と反対側の側縁（それぞれの碍子本体収容部２１，２２，３１，３２のヒンジ部が設けられていない側縁）に分割面と同一面上に延設されたフランジ部２１ｂ，２２ｂ，３１ｂ，３２ｂを設け、一方のカバー部材のフランジ部２１ｂ、２２ｂに分割面と略垂直に突設された係合突起２１ｃ、２２ｃを設け、また、他方のカバー部材のフランジ部３１ｂ、３２ｂに係合突起２１ｃ、２２ｃが係合する係合孔３１ｃ、３２ｃを形成し、カバー部材２，３を閉じた際に係合突起２１ｃ、２２ｃを係合孔３１ｃ、３２ｃに係合させることで、閉じた状態が保持されるようになっている。  
【００２９】
また、この例において、それぞれの碍子本体収容部２１，２２，３１，３２は、断面半円状に形成され、一対のカバー部材２，３を閉じた状態において円筒状になるように形成されている。これに対して連結部収容部２３，３３は、断面矩形状に形成され、一対のカバー部材２，３を閉じた状態において、角筒状になるように形成され、この連結部収容部の外側面は、間接活線把持工具（絶縁ヤットコなど）で把持可能な幅に形成され、且つ、平坦に形成されている。なお、連結部収容部２３，３３の外側面は、間接活線把持工具で把持した際に滑らないようにするために、滑り止め処理を施すようにしてもよい。  
【００３０】
以上の構成において、２個連の碍子を取り替える場合には、図５（ａ）に示されるように、シメラー２００を電線１６０と支持構造物（電柱や腕金１５０）との間に取り付け、このシメラーで電線の張力を緩め、この状態を維持しつつ電線側の碍子を取り外すと共に支持構造物側の碍子を取り外す。  
【００３１】
その後、新たな２個連の碍子を取り付けるために、図４（ａ）の２個連の碍子１００を、図４（ｂ）に示すように、保護カバー１に収容して（それぞれの碍子１００の碍子本体１０１をそれぞれの碍子本体収容凹部２１ａ，２２ａ、３１ａ，３２ａに収容すると共に、碍子同士の連結部分を連結部収容部２３，３３に収容して）、一対のカバー部材２，３を互いの分割面を重ね合わせるように閉じて係合突起２１ｃ、２２ｃを係合孔３１ｃ、３２ｃに係合させ、保護カバー１を２個連の碍子の周囲に固定させる。
この状態においては、それぞれの碍子１００は、コッタピンによって回動可能に連結されているが、周囲に保護カバーが取り付けられることで、２個連の碍子１００は、軸心を一致させるように真っ直ぐに連結された状態が保持され、動きが規制されている。  
【００３２】
そして、支持構造物側または電線側の一方（例えば、腕金）に保護カバー１から突出した一端部（例えば、キャップ金具１０２）を取り付け、その後、保護カバーを持ち上げつつ全体を略水平にして、支持構造物側または電線側の他方（例えば、クランプ本体の連結部）に保護カバーから突出した他端部（例えば、支持杆１０５）を取り付ける。この際、２個連の碍子は、保護カバーによって動きが規制されているので、連結部分が屈曲されて逆ヘの字状になることがないため、クランプ本体の連結部に保護カバーから突出した支持杆１０５を取り付ける場合に、シメラーを増し締めしなくても接続部位の位置合わせが容易となり、接続作業を容易に行なうことが可能となる。
そして、接続作業が完了した後に、保護カバーの係合状態を解除して（係合突起２１ｃ、２２ｃを係合孔３１ｃ、３２ｃから外して）保護カバー１を碍子表面から除去すれば、２個連の耐張碍子１００の取り付け作業が完了する。  
【００３３】
碍子の取り付け作業時においては、保護カバーは絶縁性材料で形成されているので、素手で保護カバーを持って作業することも可能であり、また、手が滑って碍子が手から離れ、図５（ｂ）に示されるように支持構造物に衝突した場合でも、保護カバーが支持構造物に当接するだけで、碍子が直接支持構造物に当接することがないので、碍子本体１０１が破損する恐れを無くすことが可能となる。
【００３４】
また、充電時の作業においては、間接活線工具を用いた作業を行なう必要があるが、２個連の碍子は保護カバーが取り付けられて連結部分で屈曲することがないので、図５（ｃ）に示されるように、連結部収容部２３，３３を間接活線工具で把持して作業をすることが可能となり、このように略中央で把持されるので、全体の重量バランスが大きく偏ることはなく、また、安定した把持状態を確保することが可能となリ、一人での作業も容易に行なうことができ、作業効率を高めることが可能となる。
【００３５】
なお、上述の例では、連結部収容部２３，３３で屈曲されることがないよう、連結部収容部２３，３３の厚みを厚くする等してこの部分の強度を高くした例を示したが、連結部収容部を補強してこの部分での変形（屈曲）を避けるために、図６（ａ）に示されるように、連結部収容部２３，３３の表面にリブ４５を形成したり、図６（ｂ）に示されるように、カバー部材２，３とは別体の補強部材４６を連結部収容部２３，３３の表面等に付設したりして補強手段を設けるようにしてもよい。  また、以上の構成においては、２つの碍子が直接接続された２連碍子の保護カバーについて説明したが、３連以上の碍子に対して、同様の構成を採用してもよい。
【符号の説明】
【００３６】
１  保護カバー
２，３  カバー部材
２１，２２，３１，３２  碍子本体収容部
２３，３３  連結部収容部
４１，４２  ヒンジ部
４３，４４  係合手段
２１ｃ、２２ｃ  係合突起
３１ｃ、３２ｃ  係合孔
１００  耐張碍子
【図１】
0006703762.tif 000002
【図２】
0006703762.tif 000003
【図３】
0006703762.tif 000004
【図４】
0006703762.tif 000005
【図５】
0006703762.tif 000006
【図６】
0006703762.tif 000007
【図７】
0006703762.tif 000008
【図８】
0006703762.tif 000009
【図９】
0006703762.tif 000010